【事件の表示】
　特許第２８０６０２５号「感熱転写記録媒体」の請求項１乃至２に係る特許に対する特許異議の申立てについて、次のとおり決定する。
【結　論】
　訂正を認める。
　特許第２８０６０２５号の請求項１乃至２に係る特許を維持する。
【理　由】
１．手続の経緯
　本件特許第２８０６０２５号発明は、平成２年９月２５日に特許出願され、平成１０年７月２４日にその特許の設定登録がなされ、その後、米澤明及び山田ミワよりそれぞれ特許異議の申立がなされ、取消理由通知がなされ、その指定期間内である平成１１年９月１４日に訂正請求がなされたものである。
２．訂正の適否についての判断
ア．訂正事項
訂正事項ａ
　特許請求の範囲の請求項１の記載
「【請求項１】昇華性染料又は熱溶融移行性染料を含むインキからなる感熱転写層を基体シート上に設けてなる感熱転写記録媒体において、該感熱転写層が、同一転写エネルギーにおいて転写順に転写濃度が低くなるように別個に設けられたイエロー感熱転写層、マゼンタ感熱転写層及びシアン感熱転写層からなり、且つ中濃度領域におけるイエロー感熱転写層とマゼンタ感熱転写層との間の転写濃度差及びマゼンタ感熱転写層とシアン感熱転写層との間の転写濃度差がそれぞれ０．１以下であり、高濃度領域におけるイエロー感熱転写層とマゼンタ感熱転写層との間の転写濃度差及びマゼンタ感熱転写層とシアン感熱転写層との間の転写濃度差がそれぞれ０．２以下であることを特徴とする感熱転写記録媒体。」を、
「【請求項１】昇華性染料又は熱溶融移行性染料を含むインキからなる感熱転写層を基体シート上に設けてなる感熱転写記録媒体において、該感熱転写層が、同一転写エネルギーにおいて転写順に転写濃度が低くなるように別個に設けられたイエロー感熱転写層、マゼンタ感熱転写層及びシアン感熱転写層からなり、中濃度領域におけるイエロー感熱転写層とマゼンタ感熱転写層との間の転写濃度差及びマゼンタ感熱転写層とシアン感熱転写層との間の転写濃度差がそれぞれ０．１以下であり、高濃度領域におけるイエロー感熱転写層とマゼンタ感熱転写層との間の転写濃度差及びマゼンタ感熱転写層とシアン感熱転写層との間の転写濃度差がそれぞれ０．２以下であり、且つイエロー感熱転写層、マゼンタ感熱転写層及びシアン感熱転写層の低濃度領域における各転写濃度差が中濃度領域おける各転写濃度差よりも小さいことを特徴とする感熱転写記録媒体。」と訂正する。　
訂正事項ｂ
　特許公報第２頁第４欄第１４〜２７行「上記の目的を達成するために、この発明は、昇華性染料又は熱溶融移行性染料を含むインキからなる感熱転写層を、基体シート上に設けてなる感熱転写記録媒体において、該感熱転写層が、同一転写エネルギーにおいて転写順に転写濃度が低くなるように別個に設けられたイエロー感熱転写層、マゼンタ感熱転写層及びシアン感熱転写層からなり、且つ中濃度領域におけるイエロー感熱転写層とマゼンタ感熱転写層との間の転写濃度差及びマゼンタ感熱転写層とシアン感熱転写層との間の転写濃度差がそれぞれ０．１以下であり、高濃度領域におけるイエロー感熱転写層とマゼンタ感熱転写層との間の転写濃度差及びマゼンタ感熱転写層とシアン感熱転写層との間の転写濃度差がそれぞれ０．２以下であることを特徴とする感熱転写記録媒体を提供する。」を
「上記目的を達成するために、本発明は、昇華性染料又は熱溶融移行性染料を含むインキからなる感熱転写層を基体シート上に設けてなる感熱転写記録媒体において、該感熱転写層が、同一転写エネルギーにおいて転写順に転写濃度が低くなるように別個に設けられたイエロー感熱転写層、マゼンタ感熱転写層及びシアン感熱転写層からなり、中濃度領域におけるイエロー感熱転写層とマゼンタ感熱転写層との間の転写濃度差及びマゼンタ感熱転写層とシアン感熱転写層との間の転写濃度差がそれぞれ０．１以下であり、高濃度領域におけるイエロー感熱転写層とマゼンタ感熱転写層との間の転写濃度差及びマゼンタ感熱転写層とシアン感熱転写層との間の転写濃度差がそれぞれ０．２以下であり、且つイエロー感熱転写層、マゼンタ感熱転写層及びシアン感熱転写層の低濃度領域における各転写濃度差が中濃度領域おける各転写濃度差よりも小さいことを特徴とする感熱転写記録媒体を提供する。」と訂正する。
イ．訂正の目的の適否及び拡張・変更の存否
　訂正事項ａは、願書に添付された明細書（以下、「特許明細書」という。）の特許請求の範囲の請求項１に記載された、各感熱転写層間の転写濃度差に関して、「且つイエロー感熱転写層、マゼンタ感熱転写層及びシアン感熱転写層の低濃度領域における各転写濃度差が中濃度領域おける各転写濃度差よりも小さい」という条件を付加することによって感熱転写記録媒体の構成を限定的に規定するものであるから、特許法第１２０条の４第２項但し書き第１号に規定する特許請求の範囲の減縮を目的とするものである。
　また、特許明細書の第１２頁第３〜７行（公報第３頁第６欄第７〜１０行）の記載をその根拠とするものであって、特許明細書の記載事項の範囲内の訂正であり、実質上特許請求の範囲を拡張しまたは変更するものではない。
　訂正事項ｂは、訂正された特許請求の範囲の記載に対応するように、明細書の記載を訂正するものであり、特許法第１２０条の４第２項但し書き第３号に規定する明りょうでない記載の釈明に相当するものである。
　また、特許明細書の記載事項の範囲内の訂正であり、実質上特許請求の範囲を拡張しまたは変更するものではない。
ウ．独立特許要件の判断
(1) 取消理由の概要
　本件特許発明に対して当審が通知した取消理由の概要は、請求項１及び２に係る発明に対して、刊行物１（「三菱化成　Ｒ＆Ｄ　Review Vol.３ No.１」 p.124〜125、１９８９年１月　三菱化成株式会社総合研究所発行）を提示し、本件請求項１及び２に係る発明は、いずれも刊行物１に記載された発明と同一或いは当該発明に基づいて当業者が容易になし得たものであるから、本件請求項１及び２に係る発明の特許は特許法第２９条第１項第３号或いは第２項に違反してなされたものであり、取り消されるべきものである、というものである。
(2) 引用刊行物の記載事項
刊行物１には、「昇華型感熱転写記録材料」と題する技術の紹介記事が記載されており、「このうち濃度階調が可能で、銀塩カラー写真に最も近い画質が得られる昇華型感熱転写方式が特に注目されており、・・・」（第１２４頁左欄第５〜７行）と記載され、
「本方式の基本原理は、昇華型と一般に称されていますが、正しくは熱拡散転写型とでもいうべきであります。熱移行性の色素が、カラーシートの色材層側から受像紙の染着層側へ、エネルギーに応じた量だけ熱拡散移行することによって濃度階調性のある転写画像が得られるものであります。材料の基本構成をFig.1 に示します。」（第１２４頁左欄下から第１５〜９行）と記載され、
「当社の記録材料による記録特性をFig.2 およびFig.3 に示しました。Fig.2 は印加エネルギーと転写ＯＤ（濃度）との関係から記録感度を示したものであります。・・・。本誌のグラビアページに当社の高感度タイプの記録材料を用いて再現したプリントの見本を掲載しました。これらより、濃度や色再現性の面でほぼカラー写真並を達成していることがお判りかと思います。」（第１２４頁右欄Fig.1 下第１０行〜第１２５頁左欄Fig.3 下第１行）と記載され、また、Fig.2 に高感度タイプ（High sensitive type） として、イエロー、マゼンタ、シアンの各色についての記録感度が図示されている。
　これらの記載から、刊行物１には、Fig.2 に示されるHigh sensitive type の転写濃度特性を有する感熱転写記録材料が開示されており、また、Fig.2 によると前記記録材料の印加エネルギーと転写濃度との関係はイェロー、マゼンタ、シアンの順に同一転写エネルギーに対する転写濃度が低くなっており、その高濃度領域（飽和領域に近い１０ｍｓ以上の領域）ではイェローとマゼンタの間、及びマゼンタとシアンの間の濃度差はそれぞれ０．２以下となっており、また、中濃度領域（７ｍｓ近傍、又は５．５〜８．５ｍｓの領域）ではイェローとマゼンタの間、及びマゼンタとシアンの間の濃度差はそれぞれ０．１以下となっており、低濃度領域（５ｍｓ近傍、又は４〜５．５ｍｓの領域）では、イェローとマゼンタの間、及びマゼンタとシアンの間の濃度差はそれぞれ中濃度領域での前記濃度差よりも大きくなっていることが把握できる。
(3) 対比・判断
　本件訂正明細書の請求項１に係る発明（以下、「本件訂正発明」という。）と刊行物１に記載の発明（以下、単に「刊行物発明」という。）とを対比すると、本件訂正発明では、低濃度領域での濃度差が中濃度領域での濃度差よりも小さくされているのに対し、刊行物発明では低濃度領域での濃度差が中濃度領域での濃度差よりも大きくなっている点で相違する。
　前記相違点について検討すると、本件訂正明細書には、「この発明においては、各色相のインキの転写濃度が転写順に低くなるように調整されていることを特徴としている。これにより、色重ね転写において、先に転写され、その上に重ね合わされた感熱転写層に再移行するために色濃度の低下が大きくなりやすい染料ほど、重ねて転写をしない場合の単独の転写濃度は高くなるので、色重ね転写をした場合の全体としてのカラーバランスは著しく改善される。」（公報第５欄第２２〜２９行）、「転写濃度を転写順に低くする程度は、感熱転写記録媒体を使用するプリンターを用いて色重ね転写を行い、先に転写した色濃度の低下幅を測定し、その測定値を基礎に、プリンターの特性に応じて定める。即ち、イエロー、マゼンタ、シアンの順に転写する本発明の感熱転写記録媒体においては、インキ中の染料の濃度を調整することにより、第１図(a) に示したように、転写エネルギーと転写濃度の特性曲線におけるγ特性（特性曲線の直線部の傾き）を、イエロー（Ｙ）が１、マゼンタ（Ｍ）が０．９、シアン（Ｃ）が０．８５というようにインキの色相ごとに変え、転写濃度がイエロー、マゼンタ、シアンの順に低くなるようにする。ここで各色相間での転写濃度の差は、カラーバランスを崩さないように、一般には、中濃度域では転写濃度の差(a) が０．１以下とし、高濃度域では転写濃度の差(b) が０．２以下となるように設定する。また、第１図(b) に示したように、イエロー（Ｙ）、マゼンタ（Ｍ）、シアン（Ｃ）のγ特性は一定として、中濃度域での転写濃度の差(a) を０．１以下とし、高濃度域では各色相間の転写濃度の差(b) を０．２以下とする。なお、第１図(a) および第１図(b) に示したいずれの方法においても、低濃度域では転写エネルギーが小さく、染料の再移行による濃度低下も少ないので、各色相間の転写濃度差は中濃度域よりも小さくする。」（公報第５欄第３６行〜第６欄第１０行）と記載されており、これらの記載から、本件発明は、イエロー、マゼンタ、シアンの順に転写すること、各色相のインキの転写濃度が転写順に低くなるように調整されていること、及び高濃度域、中濃度域及び低濃度域における各色間の転写濃度の差を、中濃度領域におけるイエロー感熱転写層とマゼンタ感熱転写層との間の転写濃度差及びマゼンタ感熱転写層とシアン感熱転写層との間の転写濃度差がそれぞれ０．１以下であり、高濃度領域におけるイエロー感熱転写層とマゼンタ感熱転写層との間の転写濃度差及びマゼンタ感熱転写層とシアン感熱転写層との間の転写濃度差がそれぞれ０．２以下であり、且つイエロー感熱転写層、マゼンタ感熱転写層及びシアン感熱転写層の低濃度領域における各転写濃度差が中濃度領域おける各転写濃度差よりも小さいこととなるように設定すること、の構成を有することによって、明細書記載の効果が得られるものである。
　それ故、訂正明細書の請求項１に記載された「イエロー感熱転写層、マゼンタ感熱転写層及びシアン感熱転写層の低濃度領域における各転写濃度差が中濃度領域おける各転写濃度差よりも小さいこと」は本件訂正発明の構成に欠くことの出来ない事項であると認められる。
　ところが、刊行物１にはこの点に関しては記載されておらず、また、転写濃度領域を低濃度領域と中濃度領域とに分けて把握することの示唆すらもされていない。
　よって、本件訂正発明が刊行物１に記載された発明であるとも、刊行物１の記載から容易に発明できたものということはできない。
　したがって、本件訂正明細書の請求項１に係る発明は特許出願の際独立して特許を受けることができない発明とすることはできない。
エ．結び
　以上のとおりであるから、上記訂正請求は、特許法第１２０条の４第２項及び同条第３項で準用する第１２６条第２乃至４項の規定に適合するので、当該訂正を認める。
３．特許異議の申立についての判断
（Ａ）本件発明
　本件請求項１及び２に係る特許発明は、訂正明細書の特許請求の範囲の請求項１及び２に記載されたとおりの以下のものである。
【請求項１】（前記訂正事項ａ参照）
【請求項２】該感熱転写層が、さらにブラック感熱転写層を有する請求項１記載の感熱転写記録媒体。
（Ｂ）申立人米澤明の異議申立について
ア．申立の理由の概要
　申立人米澤明は、本件特許発明に対して、証拠として甲第１号証（特開昭６１−１４９３９８号公報）、甲第２号証（「三菱化成　Ｒ＆Ｄ　Review Vol.３ No.１」p.124〜125、１９８９年１月　三菱化成株式会社総合研究所発行）及び甲第３号証（特開昭６０−２５７８４号公報）を提出し、本件請求項１及び２に係る特許は特許法第２９条第２項の規定に違反してなされたものであるから、特許を取り消されるべき旨主張するとともに、申立書において、概略「甲第１号証においては、第４図は印画紙での画像を透明フィルムに再転写した場合の透過濃度に関する図面ではあるが、印画紙での転写濃度に対応するものであることは当業者にとって自明の事項であり、また、甲第１号証には「各色の透過濃度特性が接近し、従って色バランスが良くなり、画質も向上する」と記載しているので、色バランスの向上を目的として、甲第１号証に記載されるインクリボンとして甲第２号証記載の高感度タイプの昇華型感熱転写記録材料を採用することは当業者が容易に想到しうる程度にすぎない。」との主張をしている。
イ．当審の判断
(1) 甲号各証の記載事項
　申立人米澤明の提出した、甲号各証には、以下の事項が記載されている。
　甲第１号証（特開昭６１−１４９３９８号公報）には、透明画像フィルム作成用印画紙に関する発明を開示するが、その特許請求の範囲には、「昇華染料を保持するインクリボンから画像を熱転写により受容する印画紙であり且つ該印画紙上の画像を透明フィルム上に熱転写するための印画紙であって、該印画紙表面はガラス転移点５゜Ｃ〜３０゜Ｃの上記染料に対して染着性を有する樹脂が施されて成る透明画像フィルム作成用印画紙。」と記載されると共に、従来の技術において、
「ビデオカメラによる撮像画像、テレビジョン画像等の静止画像を昇華性染料を用いたビデオカラープリンタによって印画紙に熱転写し、さらにこの印画紙上の画像を透明フィルム上に熱転写して所謂透明画像フィルムを作成することが試みられている。即ち、第５図に示すようにビデオカラープリンタにおいて、イエロー色、マゼンタ色、シアン色及び必要に応じてブラック色の各昇華性染料を用いた塗布層(1) を順次配したインクリボン(2) が印画紙(3) 上に配され、インクリボン(2) の例えばイエロー色塗布層が印画紙に対接した状態でイエローに対応する情報、例えばテレビジョン映像信号のイエローに対応する色信号によって感熱ヘッド(4) が加熱され、イエローの昇華性染料を印画紙(3) に熱転写する。次にマゼンタ色について同様の熱転写処理を施し、順次シアン色、ブラック色に関してその転写を繰り返して行い（第５図Ａ参照）、これらイエロー色、マゼンタ色、シアン色及びブラック色の各昇華性染料による転写画像の重ね合わせによってカラー画像(5) を印画紙(3) 上に得る（第５図Ｂ参照）。次に、この印画紙(3) を例えばポリエチレンテレフタレートによるＯＨＰ・・用透明フィルム(6) に重ね合わせ、全面を加熱、加圧して（第５図Ｃ参照）印画紙上のカラー画像(5) を透明フィルム側に熱転写して目的の透明画像フィルムを作成する（第５図Ｄ参照）。」（第１頁左下欄下から第６行〜第２頁左上欄第１行）と記載され、また、第３図、第４図に関して、
「また、第２図（図面の簡単な説明の記載からみて、第３図の誤記と思われる。）は従来の印画紙（ガラス転移温度の高い樹脂の表面処理層を有するもの）を用いた場合の各イエロー色、マゼンタ色およびシアン色についての透明シート上での透過濃度特性を示すものである。第４図は本発明の印画紙（ガラス転移温度の低い樹脂の表面処理層を有するもの）を用いた場合の各色についての同様の透過濃度特性を示すものである。第３図及び第４図から明らかなように本発明による印画紙を用いた場合には従来の印画紙を使用した場合に比べて各色の透過濃度特性が接近し、従って色バランスが良くなり、画質も向上する。」（第３頁右上欄下から第２行〜左下欄第１０行）と記載されている。
　甲第２号証は前記取消理由に引用した刊行物１と同じものであって、前記２．ウ．(2) に記載した事項が記載されている。
　甲第３号証（特開昭６０−２５７８４号公報）には、特許請求の範囲において、「(1) 少なくともシアン、マゼンタ及びイエローの三つの原色を使用して、・・感熱転写記録法により被記録材上にイエロー、マゼンタ、シアンの順に原色の記録を実施することを特徴とするカラー画像の記録方法。(2) 前記三つの原色に加えブラック原色を使用する方法において、ブラック原色による記録をイエロー原色の記録に先立ち実施する特許請求の範囲第１項記載の記録方法。(3) 前記三つの原色に加えブラック原色を使用する方法において、ブラック原色による記録をシアン原色の記録の後に実施する特許請求の範囲第１項記載の記録方法。」と記載されると共に、
「また、感熱転写記録法の場合にも、インクリボン（インクフィルム）のインク組成物は、通常６０゜Ｃ以上の温度がサーマルヘッド等の加熱機構により加えられ溶融し、被記録材上に転写されることにより記録が実施され、・・」（第２頁右上欄第３〜７行）と記載されている。
(2) 対比・判断
　本件請求項１に係る特許発明（以下、「本件請求項１発明」という。）と、甲号各証の記載事項とを対比すると、甲第１号証乃至甲第３号証には、いずれにも本件請求項１発明の構成要件である「イエロー感熱転写層、マゼンタ感熱転写層及びシアン感熱転写層の低濃度領域における各転写濃度差が中濃度領域おける各転写濃度差よりも小さいこと」の構成は記載されておらず、また、転写濃度領域を低濃度領域と中濃度領域とに分けて把握することの示唆すらもされていない。
　そして、本件請求項１発明では、上記構成を採ることによって他の構成と相俟って、明細書記載の効果を奏するものである。
　したがって、本件請求項１発明が、申立人米澤明の提出した甲第１号証乃至甲第３号証のいずれかに記載された発明であるとも、それらに記載のものから容易に発明をすることができたものであるともすることはできない。
　本件請求項２に係る発明は、請求項１に係る発明に更に限定事項として、感熱転写層が更にブラック感熱転写層を有することを付加したものであるから、請求項１に係る発明が特許を受けることができない発明であると言うことができない以上、前記限定事項に関しての対比判断をするまでもなく、請求項２に係る発明についても同様の理由で特許を受けることができない発明であると言うことはできない。
　なお、申立人の前記主張について付言する。
　甲第１号証の第３図と第４図とを対比して分かるように、従来の印画紙を用いた場合（第３図）には、イエロー、シアン、マゼンタの順に透過濃度が低くなっており、本発明の印画紙を用いた場合（第４図）には、イエロー、マゼンタ、シアンの順に透過濃度が低くなっている。これらはいずれも印画紙から透明シートに転写した後の透過濃度を示すものであって、用いられる印画紙によって、透明シート上の透過濃度の順序が異なるものとなっている。それ故、インクリボンから印画紙へ転写された濃度は第３図の順とも第４図の順ともいずれとも言うことはできず、不明である。
　さらに、甲第２号証には、前記２．ウ．で述べたごとく、本件請求項１発明の構成「イエロー感熱転写層、マゼンタ感熱転写層及びシアン感熱転写層の低濃度領域における各転写濃度差が中濃度領域おける各転写濃度差よりも小さいこと」が示されておらず、このものを甲第１号証のインクリボンとして用いたとしても、本件請求項１発明に到達することはできない。
　したがって、甲第１号証及び甲第２号証のものから本件請求項１発明が容易に想到できたとする申立人の前記主張は採用できない。
（Ｃ）申立人山田ミワの異議申立についての判断
ア．申立の理由の概要
　申立人山田ミワは、本件特許発明に対して、証拠として甲第１号証（三菱化成株式会社総合研究所発行「三菱化成　Ｒ＆Ｄ　Ｒｅｖｉｅｗ」１９８９年３巻１号１２４〜１２５頁）、甲第２号証（画像電子学会発行「画像電子学会誌」１９８３年１２巻１号１８〜２３頁）及び甲第３号証（社団法人色材協会発行「色材協会誌」１９８２年５５巻５号３０５〜３１８頁）を提出し、本件特許は特許法第２９条第１項第３号、同法第２９条第２項、同法第３６条第３項の規定に違反してなされたものであるから、特許を取り消されるべき旨主張している。
イ．当審の判断
(1) 特許法第３６条第３項違反について
(a) 申立人の主張
　申立人は、以下のとおり主張している。
　本件特許は「発明の詳細な説明には、その発明の属する技術の分野における通常の知識を有するものが容易にその実施をすることが出来る程度に、その発明の目的、構成及び効果を記載しなければならない」という要件を以下の点で満たしていない。
　本件特許公報によると、本件特許発明は「各色相のインキの転写濃度が転写順に低くなるように調整されていることを特徴としている」（本件特許公報第５欄第２２〜２４行）ことが明記されている。また、「各色相間での転写濃度の差は、カラーバランスを崩さないように」（本件特許公報第５欄４７〜４８行）、本件特許発明の［構成要件３］および［構成要件４］の範囲内に制御する必要があることが記載されている。また、平成８年７月１２日付け審判請求書においてもこのことは強調されている（３頁１６〜２１行）。したがって、本件特許発明の［構成要件３］に記載される中濃度領域における転写濃度差と、［構成要件４］に記載される高濃度領域における転写濃度差は、本件特許発明を実施する際には厳密に設定されなければならない事項である。しかしながら、本件特許公報には「中濃度領域」および「高濃度領域」がどのような範囲の領域であるのかが明確に定義されていないうえ、これらの用語に関する説明もわずかしかない。かろうじて、第１図においてａが中濃度領域に属し、ｂが高濃度領域に属することがうかがえるが、第１図には縦軸の転写濃度と横軸の転写エネルギーに目盛りがふられていないために領域の範囲は極めて曖昧である。しかも、第１図(a) では、ａで規定されるイエロー（Ｙ）の転写濃度と、ｂで規定されるシアン（Ｃ）の転写濃度はほとんど同じであり、中濃度領域と高濃度領域の境界が著しく曖昧である。
このように、発明の根幹にかかわる「中濃度領域」および「高濃度領域」の説明が十分になされていないために、当業者は本件特許発明を容易に実施することができない。したがって、本件特許発明が「発明の詳細な説明に当業者が容易に実施しうる程度に記載されている」とは到底言うことができない。本件特許は昭和６２年法第３６条第３項の要件を満たしていないため取り消されるべきものである。
(b) 当審の判断
　転写濃度の中濃度領域及び高濃度領域については本件特許公報には前記２．ウ．(3) において摘記したとおり記載されており、前記記載部分と第１図とから、厳密に数値的に範囲を把握することはできないにしても、相対的な範囲として、高濃度領域、中濃度領域及び低濃度領域を当業者が把握することは可能であると認められる。
　それ故、申立人の記載不備と主張する上記点は、発明の詳細な説明を参酌すれば当業者が容易に実施しうる程度には十分理解できる程度のことと認められる。
　よって、本件特許発明が、特許法第３６条第３項に違反するという申立人の前記主張を採用することはできない。
(2) 特許法第２９条第１項第３号及び第２項違反について
(a) 甲号各証の記載事項
甲第１号証：取消理由で引用した刊行物１、及び申立人米澤明の提出した甲第２号証と同じものであって、前記２．ウ．(2) で摘記した事項が記載されている。
甲第２号証（画像電子学会発行「画像電子学会誌」１９８３年１２巻１号１８〜２３頁）には、昇華型感熱転写記録媒体を用いてイエロー、マゼンタ、シアンの順に転写させることが記載されている。また、ブラックを使用することについても記載されている。
甲第３号証（社団法人色材協会発行「色材協会誌」１９８２年５５巻５号３０５〜３１８頁）には、溶融型または昇華型感熱転写記録媒体を用いてイエロー、マゼンタ、シアンの順に転写させることが記載されている。また、ブラックを使用することについても記載されている。
(b) 対比・判断
　本件請求項１に係る特許発明（以下、「本件請求項１発明」という。）と、甲号各証の記載事項とを対比すると、甲第１号証乃至甲第３号証には、いずれにも本件請求項１発明の構成要件である「イエロー感熱転写層、マゼンタ感熱転写層及びシアン感熱転写層の低濃度領域における各転写濃度差が中濃度領域おける各転写濃度差よりも小さいこと」の構成は記載されておらず、また、転写濃度領域を低濃度領域と中濃度領域とに分けて把握することの示唆すらもされていない。
　そして、本件請求項１発明では、上記構成を採ることによって他の構成と相俟って、明細書記載の効果を奏するものである。
　したがって、本件請求項１発明が、申立人山田ミワの提出した甲第１号証乃至甲第３号証のいずれかに記載された発明であるとも、それらに記載のものから容易に発明をすることができたものであるともすることはできない。
　以上に述べたとおり、いずれの異議申立の理由によっても本件請求項１に係る特許発明を特許を受けることのできない発明とすることはできない。
　本件請求項２に係る発明は、請求項１に係る発明に更に限定事項として、感熱転写層が更にブラック感熱転写層を有することを付加したものであるから、請求項１に係る発明が特許を受けることができない発明であると言うことができない以上、前記限定事項に関しての対比判断をするまでもなく、請求項２に係る発明についても同様の理由で特許を受けることができない発明であると言うことはできない。
（Ｄ）むすび
　以上のとおりであるから、本件請求項１及び請求項２に係る特許発明が、申立人米澤明の提出した甲第１号証乃至甲第３号証、または山田ミワの提出した甲第１号証乃至甲第３号証のいずれかに記載された発明であるとも、それらに記載のものから容易に発明をすることができたものであるともすることはできない。
　また、他に本件特許発明の特許を取り消すべき理由を発見しない。
　よって、結論のとおり決定する。
【異議決定日】
平成１２年３月２日（２０００．３．２）
【訂正の要旨】
訂正の要旨
　特許第２８０６０２５号の特許明細書を本件訂正請求書に添付された訂正明細書のとおりに訂正する。すなわち、
（１）　特許請求の範囲の請求項１の記載
「【請求項１】昇華性染料又は熱溶融移行性染料を含むインキからなる感熱転写層を基体シート上に設けてなる感熱転写記録媒体において、該感熱転写層が、同一転写エネルギーにおいて転写順に転写濃度が低くなるように別個に設けられたイエロー感熱転写層、マゼンタ感熱転写層及びシアン感熱転写層からなり、且つ中濃度領域におけるイエロー感熱転写層とマゼンタ感熱転写層との間の転写濃度差及びマゼンタ感熱転写層とシアン感熱転写層との間の転写濃度差がそれぞれ０．１以下であり、高濃度領域におけるイエロー感熱転写層とマゼンタ感熱転写層との間の転写濃度差及びマゼンタ感熱転写層とシアン感熱転写層との間の転写濃度差がそれぞれ０．２以下であることを特徴とする感熱転写記録媒体。」を、
「【請求項１】昇華性染料又は熱溶融移行性染料を含むインキからなる感熱転写層を基体シート上に設けてなる感熱転写記録媒体において、該感熱転写層が、同一転写エネルギーにおいて転写順に転写濃度が低くなるように別個に設けられたイエロー感熱転写層、マゼンタ感熱転写層及びシアン感熱転写層からなり、中濃度領域におけるイエロー感熱転写層とマゼンタ感熱転写層との間の転写濃度差及びマゼンタ感熱転写層とシアン感熱転写層との間の転写濃度差がそれぞれ０．１以下であり、高濃度領域におけるイエロー感熱転写層とマゼンタ感熱転写層との間の転写濃度差及びマゼンタ感熱転写層とシアン感熱転写層との間の転写濃度差がそれぞれ０．２以下であり、且つイエロー感熱転写層、マゼンタ感熱転写層及びシアン感熱転写層の低濃度領域における各転写濃度差が中濃度領域おける各転写濃度差よりも小さいことを特徴とする感熱転写記録媒体。」と訂正する。
（２）　特許公報第２頁第４欄第１４〜２７行「上記の目的を達成するために、この発明は、昇華性染料又は熱溶融移行性染料を含むインキからなる感熱転写層を、基体シート上に設けてなる感熱転写記録媒体において、該感熱転写層が、同一転写エネルギーにおいて転写順に転写濃度が低くなるように別個に設けられたイエロー感熱転写層、マゼンタ感熱転写層及びシアン感熱転写層からなり、且つ中濃度領域におけるイエロー感熱転写層とマゼンタ感熱転写層との間の転写濃度差及びマゼンタ感熱転写層とシアン感熱転写層との間の転写濃度差がそれぞれ０．１以下であり、高濃度領域におけるイエロー感熱転写層とマゼンタ感熱転写層との間の転写濃度差及びマゼンタ感熱転写層とシアン感熱転写層との間の転写濃度差がそれぞれ０．２以下であることを特徴とする感熱転写記録媒体を提供する。」を
「上記目的を達成するために、本発明は、昇華性染料又は熱溶融移行性染料を含むインキからなる感熱転写層を基体シート上に設けてなる感熱転写記録媒体において、該感熱転写層が、同一転写エネルギーにおいて転写順に転写濃度が低くなるように別個に設けられたイエロー感熱転写層、マゼンタ感熱転写層及びシアン感熱転写層からなり、中濃度領域におけるイエロー感熱転写層とマゼンタ感熱転写層との間の転写濃度差及びマゼンタ感熱転写層とシアン感熱転写層との間の転写濃度差がそれぞれ０．１以下であり、高濃度領域におけるイエロー感熱転写層とマゼンタ感熱転写層との間の転写濃度差及びマゼンタ感熱転写層とシアン感熱転写層との間の転写濃度差がそれぞれ０．２以下であり、且つイエロー感熱転写層、マゼンタ感熱転写層及びシアン感熱転写層の低濃度領域における各転写濃度差が中濃度領域おける各転写濃度差よりも小さいことを特徴とする感熱転写記録媒体を提供する。」と訂正する。
　訂正事項（１）は、特許請求の範囲の減縮を目的とするものである。
　訂正事項（２）は、訂正事項（１）の訂正に伴って、発明の詳細な説明の記載が不明瞭になることの釈明を目的とするものである。
（５４）【発明の名称】
感熱転写記録媒体
（５７）【特許請求の範囲】
　【請求項１】　昇華性染料又は熱溶融移行性染料を含むインキからなる感熱転写層を基体シート上に設けてなる感熱転写記録媒体において、該感熱転写層が、同一転写エネルギーにおいて転写順に転写濃度が低くなるように別個に設けられたイエロー感熱転写層、マゼンタ感熱転写層及びシアン感熱転写層からなり、中濃度領域におけるイエロー感熱転写層とマゼンタ感熱転写層との間の転写濃度差及びマゼンタ感熱転写層とシアン感熱転写層との間の転写濃度差がそれぞれ０．１以下であり、高濃度領域におけるイエロー感熱転写層とマゼンタ感熱転写層との間の転写濃度差及びマゼンタ感熱転写層とシアン感熱転写層との間の転写濃度差がそれぞれ０．２以下であり、且つイエロー感熱転写層、マゼンタ感熱転写層及びシアン感熱転写層の低濃度領域における各転写濃度差が中濃度領域おける各転写濃度差よりも小さいことを特徴とする感熱転写記録媒体。
　【請求項２】　該感熱転写層が、更にブラック感熱転写層を有する請求項１記載の感熱転写記録媒体。
【発明の詳細な説明】
〔産業上の利用分野〕
　本発明は、感熱転写記録媒体に関する。更に詳しくは、本発明は、色重ね転写におけるカラーバランスを向上させた感熱転写記録媒体に関する。
〔従来の技術〕
　近年、ワープロやビデオプリンターなどの画像記録方法として、サーマルヘッドあるいはレーザ光等で感熱転写記録媒体を加熱し、染料を被転写体に移行させて印画する感熱転写記録法が普及している。
　従来より、感熱転写記録媒体としては種々のものが開発されているが、一般には第２図に示すように、ポリエステルなどからなる基体シート（１）の片面に昇華性染料または熱溶融移行性染料を含むインキを塗工した感熱転写層（２）を設け、更に基体シート（１）の他の面には耐熱潤滑層（３）を設けたものが使用されている。そして、２色画像やカラー画像等を得る感熱転写記録媒体においては、色重ね転写ができるように、その感熱転写層（２）は、色相の異るインキからなる感熱転写層の区域が配列されたものとなっている。
　例えば、カラー画像を得る感熱転写記録媒体としては、一般には第３図（ａ）に示すように、イエロー（Ｙ）、マゼンタ（Ｍ）、シアン（Ｃ）の各色相のインキからなる感熱転写層の区域が、感熱転写記録媒体の走行方向（図中、矢印）に応じてイエロー（Ｙ）、マゼンタ（Ｍ）、シアン（Ｃ）の転写順になるように繰返し配列されたものとなっている。また、イエロー系の画像を得るものとしては、第３図（ｂ）に示すように、感熱転写層にブラック（Ｂ）とイエロー（Ｙ）の区域を長尺の帯状に設けたものが使用されている。
　このような感熱転写記録媒体に使用する昇華性染料あるいは熱溶融移行性染料としては、分子量が２００〜２０００程度のものが使用されており、これらはビニルアセタール樹脂、ポリエステル樹脂、セルロース樹脂、アクリル樹脂、ポリアミド樹脂等の結合剤中に分散されて感熱転写層を形成している。
　そして、感熱転写層に、ポリエステル樹脂、エポキシ樹脂、塩化ビニル樹脂あるいはウレタン樹脂等の可染層を有する被転写体を重ね合わせてサーマルヘッドあるいはレーザ光等で加熱すると、容易に被転写体に移行し、染着するようになっている。染料はこのような移行、染着性により階調性の豊かなフルカラープリントをすることが可能となっている。
〔発明が解決しようとする課題〕
　しかしながら、感熱転写記録媒体における染料は、加熱により一旦は加熱転写層から被転写体に移行しても、色重ね転写をする際に再度加熱すると再び感熱転写層に移行しやすいという性質を有している。
　即ち、色重ね転写においては、先に被転写体に転写された染料の上に別の色相の感熱転写層が重ね合わさり再度加熱転写されるが、この場合、感熱転写層の結合剤は被転写体の可染層と同様に染料を良好に分散する性質を有するので、被転写体に先に転写された染料は、再度加熱されることによりその上に重ね合わされた感熱転写層の結合剤に移行しやすいものとなる。
　このため、色重ね転写において、１色目、２色目、３色目と転写を繰り返すにしたがって、先に転写された染料が感熱転写層に再移行することとなり、被転写体における色濃度が低下し、カラーバランスが偏り、画像再現性が低下することが問題となっていた。このような色濃度の低下は、２色目、３色目の転写エネルギーが高い場合には反射濃度で０．３〜０．５に及ぶこともあり、転写画像のカラーバランスが著しく損なわれることがあった。
　これに対して、カラーバランスの偏りをプリンター内の色再現補正機構によって補正することが試みられているが、プリンターへの負担が大きく、滑らかな画質の画像を得ることは容易でない。従って、プリンター内に、色毎に転写エネルギーを変化させるような色再現補正機構を設けることなく、同一の転写エネルギーで感熱転写操作を行った場合でも、良好なカラーバランスを実現することが求められている。
　本発明は以上のような従来技術における問題点を解決しようとするものであり、色重ね転写におけるカラーバランスの偏りを容易に解消でき、優れた画像再現性を得られる感熱転写記録媒体を提供することを目的としている。
〔課題を解決するための手段〕
　上記の目的を達成するために、本発明は、昇華性染料又は熱溶融移行性染料を含むインキからなる感熱転写層を、基体シート上に設けてなる感熱転写記録媒体において、該感熱転写層が、同一転写エネルギーにおいて転写順に転写濃度が低くなるように別個に設けられたイエロー感熱転写層、マゼンタ感熱転写層及びシアン感熱転写層からなり、中濃度領域におけるイエロー感熱転写層とマゼンタ感熱転写層との間の転写濃度差及びマゼンタ感熱転写層とシアン感熱転写層との間の転写濃度差がそれぞれ０．１以下であり、高濃度領域におけるイエロー感熱転写層とマゼンタ感熱転写層との間の転写濃度差及びマゼンタ感熱転写層とシアン感熱転写層との間の転写濃度差がそれぞれ０．２以下であり、且つイエロー感熱転写層、マゼンタ感熱転写層及びシアン感熱転写層の低濃度領域における各転写濃度差が中濃度領域おける各転写濃度差よりも小さいことを特徴とする感熱転写記録媒体を提供する。
　本発明の感熱転写記録媒体において、感熱転写層に使用するインキ自体としては、従来例と同様に種々の色相の昇華性染料または熱溶融移行性染料を含むインキを使用することができる。即ち、このようなインキの染料としては、ジアリールメタン系、トリアリールメタン系、チアゾール系、メチン系、アゾメタン系、キサンチン系、アキサジン系、チアジン系、アジン系、アクリジン系、アゾ系、スピロジピラン系、イソドリノスピロピラン系、フルオラン系、ローダミンダクタム系、アントラキノン系など一般に使用されている染料を広く使用することができる。
　また、感熱転写層としては、カラー画像を得るために、イエロー、マゼンタ及びシアンの区域が形成されるようにする。更に、必要に応じてブラックの区域を形成することが好ましい。
　染料を分散させるインキの結合剤としては、ビニルアセタール樹脂、ポリエステル樹脂、セルロース樹脂、アクリル樹脂、ポリアミド樹脂等を使用することができる。
　また、インキには、顔料、界面活性剤、柔軟剤、添加剤等を適宜含めることができる。
　本発明で使用する基体シートとしては、ポリエステルフィルム、ポリスチレンフィルム、ポリサルフォンフィルム、ポリイミドフィルム、ポリビニルアルコールフィルム、芳香族ポリアミドフィルム、アラミドフィルムなどのプラスチックフィルム、あるいは、セロファン、コンデンサーペーパーなどの薄紙などを使用することができる。
　基体シート上に各色相の区域を有する感熱転写層を形成する方法も常法によることができる。たとえば、感熱転写層は、基体シートの表面にバーコーターなどを用いて各色相ごとにインキを塗工すればよい。
　なお、基体シートの感熱転写層を形成しない方の面には、基体シートがサーマルヘッド等と融着することを防止する耐熱潤滑層を設けてもよい。また、感熱転写層上には低印加電圧でのハイライト部の再現性を向上させる転写促進層を設けてもよい。
　以上のように、本発明の感熱転写記録媒体は、層構成としては第２図に示した従来例等と同様にすることができ、感熱転写層に形成する各色相の区域の配列も第３図（ａ）および（ｂ）に示した従来例等と同様にすることができる。更に、感熱転写層のインキ素材や基体シートの素材、および製造に使用する装置も従来例と同様のものを使用することができる。
　本発明においては、各色相のインキの転写濃度が転写順に低くなるように調整されていることを特徴としている。これにより、色重ね転写において、先に転写され、その上に重ね合わされた感熱転写層に再移行するために色濃度の低下が大きくなりやすい染料ほど、重ねて転写をしない場合の単独の転写濃度は高くなるので、色重ね転写をした場合の全体としてのカラーバランスは著しく改善される。
　インキの転写濃度を転写順に低くする調整法としては、インキの塗布量を調整するか、あるいはインキ中の染料の濃度を調整するのが簡便な方法として好ましいが、この他、染料の融点が転写順に高くなるように各色相の染料を選択する等の方法を使用することができ、またこれらの方法を組み合わせてもよい。
　転写濃度を転写順に低くする程度は、感熱転写記録媒体を使用するプリンターを用いて色重ね転写を行い、先に転写した色濃度の低下幅を測定し、その測定値を基礎に、プリンターの特性に応じて定める。即ち、イエロー、マゼンタ、シアンの順に転写する本発明の感熱転写記録媒体においては、インキ中の染料の濃度を調整することにより、第１図（ａ）に示したように、転写エネルギーと転写濃度の特性曲線におけるγ特性（特性曲線の直線部の傾き）を、イエロー（Ｙ）が１、マゼンタ（Ｍ）が０．９、シアン（Ｃ）が０．８５というようにインキの色相ごとに変え、転写濃度がイエロー、マゼンタ、シアンの順に低くなるようにする。ここで各色相間での転写濃度の差は、カラーバランスを崩さないように、一般には、中濃度領域では転写濃度の差（ａ）が０．１以下とし、高濃度領域では転写濃度の差（ｂ）が０．２以下となるように設定する。
　また、第１図（ｂ）に示したように、イエロー（Ｙ）、マゼンタ（Ｍ）、シアン（Ｃ）のγ特性は一定として、中濃度領域での転写濃度の差（ａ）を０．１以下とし、高濃度領域では各色相間の転写濃度の差（ｂ）を０．２以下とする。
　なお、第１図（ａ）および第１図（ｂ）に示したいずれの方法においても、低濃度域では転写エネルギーが小さく、染料の再移行による濃度低下も少ないので、各色相間の転写濃度差は中濃度領域よりも小さくする。
　このように本発明の感熱転写記録媒体においては各色相の転写順に転写濃度が低くなるように調整するが、各色相の転写順は、イエロー、マゼンタ、シアンの順となるようにする。
　即ち、全体としては色重ね転写により印画する画像であっても、部分ごとにみれば、その部分の色相によって色重ね転写される部分と色重ね転写されない部分とが生じる。このため、染料が再移行することにより生じる濃度低下の度合いも部分ごとの色相によって異なる結果となる。したがって、一律に各色相の転写順に転写濃度を低くしても、なお部分ごとの色むらが残存し、良好な画像再現性を得られないおそれもある。
　そこで、人間の視角の特性を利用して、色むらの知覚される度合いが最少限に抑えられるように、濃度変化に対する知覚の鈍い色相ほど先に転写されるように転写順を設定する。
　本発明においては感熱転写層にイエロー、マゼンタおよびシアンの色相の区域を設けて色重ね転写するが、濃度変化に対する知覚の最も鈍いイエローを転写の１色目とし、最も敏感に知覚するシアンを３色目とし、中間のマゼンタを２色目とする。これによれば、染料の再移行による濃度変化を最も受ける１色目がイエローであるために、画像の各部分ごとの染料の再移行の有無により濃度むらが生じても、人間の視角には比較的均一化して知覚されるので、優れた画像再現性を有するものとして認識されるようになる。
　なお、イエロー、マゼンタおよびシアンに加えて無彩色であるブラックも転写されるようにする場合、ブラックはイエローの前に転写されるようにしてもよく、あるいはシアンの後に転写されるようにしてもよい。また、ブラックは無彩色であるためにカラーバランスに直接的には影響しないので、イエロー、マゼンタおよびシアンに対して特別な転写濃度の差異を設けなくてもよい。
〔作用〕
　本発明の感熱転写記録媒体によれば、各色相のインキの転写濃度が転写順に低くなっているので、色重ね転写した場合に、染料の再移行による濃度低下の度合いが大きい色相ほど色濃く転写されることとなる。このため、転写画像のカラーバランスの偏りを解消し、優れた画像を得ることが可能となる。
　また、本発明においては、イエロー、マゼンタ、シアンの順で転写するので、人間の濃度変化に対する知覚の特性により、濃度むらの低減した、一層優れた画像を得ることが可能となる。
〔実施例〕
　以下、本発明を実施例により具体的に説明する。
　実施例１
　下記の処方にて、各色相のインキを調製した。
１．イエロー
　ＨＳＹ−６２、三菱化成製　　　　　　　　３部
　ＢＸ−１、積水化学工業製　　　　　　　　４部
　トルエン／メチルエチルケトン＝１／１　９３部
２．マゼンタ
　ＨＳＲ−３１、三菱化成製　　　　　　　　４部
　ＢＸ−１、積水化学工業製　　　　　　　　４部
　トルエン／メチルエチルケトン＝１／１　９２部
３．シアン
　ＨＳＢ−４２、三菱化成製　　　　　　　　５部
　ＢＸ−１、積水化学工業製　　　　　　　　５部
　トルエン／メチルエチルケトン＝１／１　９０部
　得られた各色相のインキを、厚さ５．７μｍのポリエチレンテレフタレートフィルム（ＴＯＲＡＹルミラー６ＣＦ５３、東レ製）にイエロー０．８ｇ／ｍ２、マゼンタ１．１ｇ／ｍ２、シアン１．０ｇ／ｍ２の塗布量にてバーコード塗工し、更に、ポリエチレンテレフタレートフィルムのインキ塗工面の反対側の面に耐熱樹脂層として、ＢＲ８５三菱レーヨン製５部、ＫＰ３６０信越化学製１部、トルエン９４部からなる樹脂組成物を０．６ｇ／ｍ２の塗布量で塗工し、本発明の感熱転写記録媒体を製造した。
　比較例１
　インキの塗工量をイエロー０．６ｇ／ｍ２、マゼンタ１．０ｇ／ｍ２、シアン１．１ｇ／ｍ２とする以外は実施例１と同様に感熱転写記録媒体を製造した。
　実施例２
　各色相のインキを、塗料の含有量が、イエロー、マゼンタ、シアンの順で低くなるように、下記の処方にて調整した。
１．イエロー
　ＭＳ−ＹＥＬＬＯＷ、三井東圧製（染料）　　　６部
　ＢＸ−１、積水化学工業製　　　　　　　　　　５部
　トルエン／メチルエチルケトン＝１／１　　　８９部
２．マゼンタ
　ＭＳ−ＭＡＧＥＮＴＡ、三井東圧製（染料）　　５部
　ＢＸ−１、積水化学工業製　　　　　　　　　　５部
　トルエン／メチルエチルケトン＝１／１　　　９０部
３．シアン
　ＭＳ−ＣＹＡＮ、三井東圧製（染料）　　　４．５部
　ＢＸ−１、積水化学工業製　　　　　　　　　　５部
　トルエン／メチルエチルケトン＝１／１　９０．５部
　得られた各色相のインキを、厚さ７μｍのポリエチレンテレフタレートフィルムに塗布量を０．９ｇ／ｍ２で塗工する以外は実施例１と同様に本発明の感熱転写記録媒体を製造した。
　比較例２
　各色相のインキ中の染料の含有量をすべて５部とする以外は実施例２と同様にして感熱転写記録媒体を製造した。
　評価
　実施例１、２および比較例１、２で得た感熱転写記録媒体をそれぞれ使用して、シャープビデオプリンターＧＺ−Ｐ２１によりポリエステル樹脂の可染層を有する被転写体に転写し（印画エネルギー１．０ｍｊ／ｄｏｔ）、イエロー、マゼンタおよびシアンの各色相の単独の転写濃度を反射濃度計（マクベスＲＤ−０９１８）で測定した。結果を表１に示す。
　
　また、イエロー、マゼンタおよびシアンの順で転写して人物画と風景画を印画した。
　その結果、表１のように各色相の転写濃度が転写順に低くなっている実施例１、２を使用した場合には良好な画像再現性が得られた。これに対して、各色相の転写濃度が等しい比較例１の場合には赤紫側にカラーバランスが崩れ、特に、人物画の肌色再現性が劣っていた。また、比較例２の場合も青側にカラーバランスが崩れ、人物画の肌色再現性が劣っていた。
〔発明の効果〕
　本発明の感熱転写記録媒体によれば、各色相のインキの転写濃度が転写順に低くなっているので、色重ね転写におけるカラーバランスの偏りを解消し、優れた画像を得ることが可能となる。また、イエロー、マゼンタ、シアンの順で転写するので、転写画像の濃度むらの低減した、一層優れた画像を得ることが可能となる。
　また、本発明の感熱転写記録媒体は、従来の感熱転写記録媒体の製造法や製造装置に大幅な変更を加えることなく製造することができるので、容易に得ることが可能である。
　更に、プリンターの色再現補正機構による補正の程度を軽減することができるので、プリンターの負担をハードおよびソフトの両面から減じることが可能となる。
【図面の簡単な説明】
　第１図（ａ）および（ｂ）は、本発明の感熱転写記録媒体の特性曲線を表す図である。
　第２図は、感熱転写記録媒体の断面図であり、第３図（ａ）および（ｂ）は、感熱転写層の異なる色相の区域の配列を表す概念図である。
（１）基体シート、（２）感熱転写層、（３）耐熱潤滑層